(57)【要約】【課題】本発明は、鍼の据付が簡単であり、鍼管内での定位が確実に行え、また使用時には鍼柄を挟持溝の中からそっと押し出しさえすれば、鍼の正常的鍼灸応用を行うようにすることができ、操作は簡単で便利になる。【解決手段】  鍼体４と鍼柄５とにより構成される鍼３と、管腔２を有する管体１よりなる鍼管と、管腔の内周に内側に向かって対向して突出された少なくとも２つの鍼柄固定部６と、前記鍼柄固定部６間に前記鍼柄を挟持可能に設けられた挟持溝６１とを備え、挟持溝の対向する側壁面が形成する管体の軸に垂直方向の溝幅が、前記挟持溝の溝口６１１における幅より大きく、溝口の幅が鍼柄の幅の最大横断面の幅より小さく形成される。【選択図】図１
2012075873.tif 000002
【特許請求の範囲】
【請求項１】
鍼体と鍼柄とにより構成される鍼と、
管腔を有する管体よりなる鍼管と、
管腔の内周に内側に向かって対向して突出された少なくとも２つの鍼柄固定部と、
前記鍼柄固定部間に前記鍼柄を挟持可能に設けられた挟持溝とを備え、
前記挟持溝の対向する側壁面が形成する管体の軸に垂直方向の溝幅が、前記挟持溝の溝口における幅より大きく、前記溝口の幅が前記鍼柄の幅の最大横断面の幅より小さく形成されていることを特徴とする鍼管付鍼。
【請求項２】
前記挟持溝の片側の溝壁に、断面が弧状の凹部が設けられ、前記鍼柄には前記凹部に合致する外縁形状に形成されることにより、前記挟持溝内に前記鍼柄が嵌挿、保持されることを特徴とする請求項１に記載の鍼管付鍼。
【請求項３】
前記挟持溝の両側の溝壁に、断面が弧状の凹部が対応して設けられ、
前記凹部を組み合わせて挟み口を構成し、前記鍼柄には前記挟み口に合致する外縁形状に形成されることにより、前記挟持溝内に前記鍼柄が嵌挿、保持されることを特徴とする請求項１に記載の鍼管付鍼。
【請求項４】
前記挟み口が、管腔の枢軸線からそれた位置に設けられていることを特徴とする請求項３に記載の鍼管付鍼。
【請求項５】
前記挟持溝の最大溝幅が、前記鍼柄の幅の最大横断面の幅と等しく形成されるか、或いは僅かに小さく形成されていることを特徴とする請求項１−４の何れかに記載の鍼管付鍼。
【請求項６】
前記請求項１−５の何れか１項に記載の鍼管付鍼を製造するために、鍼を鍼管に据付ける据付方法であって、
鍼を鍼管内に挿入する工程と、
前記鍼柄と前記鍼柄固定部とが対応している時、前記鍼柄を前記挟持溝の溝口から、前記鍼柄の最大の横断面が、前記溝口を通るまで前記挟持溝内に押込む工程と、を備えている
ことを特徴とする鍼の鍼管への据付方法。
【請求項７】
前記請求項１−５の何れか１項に記載の鍼管付鍼を製造するために、鍼を鍼管に据付ける据付方法であって、
前記鍼を前記鍼管の軸方向に沿って前記鍼管の挟持溝内に挿入することを特徴とする鍼の鍼管への据付方法。
【請求項８】
前記鍼柄を前記挟持溝に押込む時に、前記鍼柄の端部が前記鍼管の外部に配設されることを特徴とする請求項６または７に記載の鍼の鍼管への据付方法。
【発明の詳細な説明】
【技術分野】
【０００１】
本発明は鍼管付鍼、および鍼の鍼管への据付方法に関し、一種の医用鍼として用いられる。
【背景技術】
【０００２】
鍼は伝統的な漢方医学器械であり、つぼに鍼を向け易くし、また鍼が使用前に外界に汚染されないことを確保するために、現在では通常鍼を鍼管の中に入れた、つまり、いわゆる鍼管付鍼が用いられている。現在、市場において、鍼管付鍼としてよく見られるのは、二種類のタイプがある。その第一は、鍼を鍼管の中に挿し込み、それに鍼柄の一部が鍼管の外に出るようにし、さらにストッパを鍼管の中に挿し込むことにより、鍼柄をしっかりと挟み、また、鍼を使用する時はストッパを抜き取ることにより、鍼を套管から取り出し、使用に供するものがあった。
【０００３】
また、従来の鍼管付鍼の第二は、鍼管の内壁に、幾つかの凸起点を形成し、この幾つかの凸起点の組合わせによって鍼柄をしっかりと挟持する構成のものであった。そして、使用時は、力を入れて鍼柄を押して、鍼が鍼管の中から出るようにするものがあった。
【発明の概要】
【発明が解決しようとする課題】
【０００４】
しかしながら、上記従来の第一の鍼管付鍼は、使用が面倒であるだけではなく、使用の時はストッパが何の働きもしない。また、繰り返してストッパを利用することもできないため、ストッパを使用時に抜き取ってしまうと、すぐごみになってしまう。
【０００５】
また、上記従来の第二の鍼管付鍼は、製造過程の中で鍼管を安全に保持することが機能的に非常に難しく、もし鍼管の内壁に形成された幾つかの凸起点が鍼柄を挟みすぎると、操作の時は力を入れて鍼を押し出さなければならないので、押圧力の力の加減を誤ると、深く刺し込みすぎる問題を引起しやすい。また、もし凸起点が鍼柄を挟むのがゆる過ぎると、製品を運搬する時に鍼管から外れる現象を招来しやすいという問題があった。
【０００６】
本発明は上記従来の問題点を解決するためになされ、鍼の据付が簡単であり、鍼管内での定位が確実に行え、また使用時には鍼柄を挟持溝の中からそっと押し出しさえすれば、鍼の正常的鍼灸応用を行うようにすることができ、操作は簡単で便利になる鍼管付鍼、および鍼の鍼管への据付方法を提供することを目的とする。
【課題を解決するための手段】
【０００７】
本発明は上記の課題を解決するためになされ、請求項１に記載された発明は、
鍼体と鍼柄とにより構成される鍼と、
管腔を有する管体よりなる鍼管と、
管腔の内周に内側に向かって対向して突出された少なくとも２つの鍼柄固定部と、
前記鍼柄固定部間に前記鍼柄を挟持可能に設けられた挟持溝とを備え、
前記挟持溝の対向する側壁面が形成する管体の軸に垂直方向の溝幅が、前記挟持溝の溝口における幅より大きく、前記溝口の幅が前記鍼柄の幅の最大横断面の幅より小さく形成されていることを特徴とする。
【０００８】
また、本発明の請求項２に記載された発明は、請求項１において、前記挟持溝の片側の溝壁に、断面が弧状の凹部が設けられ、前記鍼柄には前記凹部に合致する外縁形状に形成されることにより、前記挟持溝内に前記鍼柄が嵌挿、保持されることを特徴とする。
【０００９】
また、本発明の請求項３に記載された発明は、請求項１において、前記挟持溝の両側の溝壁に、断面が弧状の凹部が対応して設けられ、前記凹部を組み合わせて挟み口を構成し、前記鍼柄には前記挟み口に合致する外縁形状に形成されることにより、前記挟持溝内に前記鍼柄が嵌挿、保持されることを特徴とする。
【００１０】
また、本発明の請求項４に記載された発明は、請求項３において、前記挟み口が、管腔の枢軸線からそれた位置に設けられていることを特徴とする。
【００１１】
また、本発明の請求項５に記載された発明は、請求項１−４の何れかにおいて、前記挟持溝の最大溝幅が、前記鍼柄の幅の最大横断面の幅と等しく形成されるか、或いは僅かに小さく形成されていることを特徴とする。
【００１２】
また、本発明の請求項６に記載された発明は、前記請求項１−５の何れか１項に記載の鍼管付鍼を製造するために、鍼を鍼管に据付ける据付方法であって、
鍼を鍼管内に挿入する工程と、
前記鍼柄と前記鍼柄固定部とが対応している時、前記鍼柄を前記挟持溝の溝口から、前記鍼柄の最大の横断面が、前記溝口を通るまで前記挟持溝内に押込む工程と、を備えている
ことを特徴とする。
【００１３】
また、本発明の請求項７に記載された発明は、前記請求項１−５の何れか１項に記載の鍼管付鍼を製造するために、鍼を鍼管に据付ける据付方法であって、
前記鍼を前記鍼管の軸方向に沿って前記鍼管の挟持溝内に挿入することを特徴とする。
【００１４】
また、本発明の請求項８に記載された発明は、請求項６または７において、前記鍼柄を前記挟持溝に押込む時に、前記鍼柄の端部が前記鍼管の外部に配設されることを特徴とする。
【発明の効果】
【００１５】
本発明の請求項１に記載された発明によれば、鍼体と鍼柄とにより構成される鍼と、管腔を有する管体よりなる鍼管と、管腔の内周に内側に向かって対向して突出された少なくとも２つの鍼柄固定部と、前記鍼柄固定部間に前記鍼柄を挟持可能に設けられた挟持溝とを備え、前記挟持溝の対向する側壁面が形成する管体の軸に垂直方向の溝幅が、前記挟持溝の溝口における幅より大きく、前記溝口の幅が前記鍼柄の幅の最大横断面の幅より小さく形成されているので、挟持溝は鍼の鍼柄を挟み、挟持溝の溝口によって、鍼柄に対し位置制限をする。こうして、鍼柄が固定され、したがって鍼を確実に定位することができる。
【００１６】
また、本発明の請求項２に記載された発明によれば、請求項１において、前記挟持溝の片側の溝壁に、断面が弧状の凹部が設けられ、前記鍼柄には前記凹部に合致する外縁形状に形成されることにより、前記挟持溝内に前記鍼柄が嵌挿、保持されるので、挟持溝の片側の溝壁に設けられた縦断面が弧状の凹部に、鍼柄の外縁の形状が完全に一致する。これによって、鍼柄が更に正確に挟持溝の中に挟まる。
【００１７】
また、本発明の請求項３に記載された発明によれば、請求項１において、前記挟持溝の両側の溝壁に、断面が弧状の凹部が対応して設けられ、前記凹部を組み合わせて挟み口を構成し、前記鍼柄には前記挟み口に合致する外縁形状に形成されることにより、前記挟持溝内に前記鍼柄が嵌挿、保持されるので、挟持溝の両側の溝壁に対応して設けられた断面が弧状の凹部を組み合わせた挟み口に、鍼柄の外縁の形状が完全に一致する。これによって、鍼柄の幅の最大横断面が挟持溝内に固定される。
【００１８】
また、本発明の請求項４に記載された発明によれば、請求項３において、前記挟み口が、管腔の枢軸線からそれた位置に設けられているので、鍼柄を挟み口から取り出す時、鍼ができるだけ管腔の中心位置に置かれるようにでき、したがって、使用時鍼を正確につぼに挿すのに便利になるわけである。
【００１９】
また、本発明の請求項５に記載された発明によれば、請求項１−４の何れかにおいて、前記挟持溝の最大溝幅が、前記鍼柄の幅の最大横断面の幅と等しく形成されるか、或いは僅かに小さく形成されているので、鍼柄が挟持溝の中にしっかりと挟持でき、鍼柄を定位する。
【００２０】
また、本発明の請求項６に記載された発明によれば、前記請求項１−５の何れか１項に記載の鍼管付鍼を製造するために、鍼を鍼管に据付ける据付方法であって、鍼を鍼管内に挿入する工程と、前記鍼柄と前記鍼柄固定部とが対応している時、前記鍼柄を前記挟持溝の溝口から、前記鍼柄の最大の横断面が、前記溝口を通るまで前記挟持溝内に押込む工程と、を備えているので、鍼を鍼管に据付けるのに、鍼を鍼管の中に挿し入れ、鍼柄と鍼管の中の鍼柄固定部の位置が対応する時、鍼柄を挟持溝の溝口から挟持溝の中に向けて押し入れるという簡単な操作で行え、それに据付の時それぞれ鍼の挿入深度及び鍼柄を挟持溝の中に押し入れる時期と距離をコントロールでき、機械自動化操作の採用が可能である。
【００２１】
また、本発明の請求項７に記載された発明によれば、前記請求項１−５の何れか１項に記載の鍼管付鍼を製造するために、鍼を鍼管に据付ける据付方法であって、前記鍼を前記鍼管の軸方向に沿って前記鍼管の挟持溝内に挿入するので、鍼を鍼管に据付けるのに、鍼を鍼管の中に軸方向に沿って挿し入れ、鍼柄を挟持溝の中に押し入れるという簡単な操作で行え、同様に、この種の据付方法は機械による自動化操作に採用しやすい。
【００２２】
また、本発明の請求項８に記載された発明によれば、請求項６または７において、前記鍼柄を前記挟持溝に押込む時に、前記鍼柄の端部が前記鍼管の外部に配設されるので、使用者が使用する時、鍼柄を挟持溝の中から手動で押し出すことができる。
【図面の簡単な説明】
【００２３】
【図１】図１は本発明の鍼管付鍼の実施形態１に係る正面図である。
【図２】図２は同じく本発明の鍼管付鍼の実施形態１に係る縦断面図である。
【図３】図３は、図２の中での円Ｉ部分の拡大図である。
【図４】図４は、図１のＡ−Ａ矢視断面図である。
【図５】図５は、本発明の鍼管付鍼の実施形態２に係る断面図である。
【発明を実施するための形態】
【００２４】
以下、図を参照し、本発明の鍼管付鍼の詳細を説明する。
【００２５】
＜実施形態１＞
図１乃至４に示すものは、本発明の鍼管付鍼の実施形態１を示す。本実施形態１の鍼管付鍼は、鍼管と鍼３とにより構成される。鍼管は管体１を含み、その管体１の中に管腔２を有している。前記鍼３は、人体のつぼに刺すのに用いる鍼体４と操作に用いる鍼柄５とにより構成される。
【００２６】
図２乃至図４で示したように、管腔２の壁にはそれぞれ管腔２の内側に向けて二箇所に設けた凸起により形成された二つの鍼柄固定部６が設けられている。この鍼柄固定部６の対向する凸起の側表面の間に挟持溝６１が形成され、この挟持溝６１は鍼柄５を挟むのに用いられる。挟持溝６１の左右の両側溝壁は、鍼柄固定部６として配置され、両側溝壁の間の管体１に垂直の方向の距離が、挟持溝６１の溝幅と規定される。しかし、図中で示す挟持溝６１の異なる位置で溝幅は、少し変化する。
【００２７】
即ち、挟持溝６１は、少なくとも一部の溝幅が挟持溝６１の溝口６１１の幅より大きくなるべきである。そして溝口６１１の幅は、鍼柄５の幅の最大横断面の幅より小さくなるべきである。もし、鍼柄５が図３で示されるように円柱形であれば、鍼柄５の直径は溝口６１１の幅より大きくなるべきである。
【００２８】
図３にて説明される「横」は、図２中の「横」と対応しており、また下記で触れる「縦」は、図２の中の「縦」と対応する。そして、本文の中の「横」と「縦」は、いずれも人々において製品を観察する習慣に基づいて定義したものである。鍼柄５の最大横断面の幅は、溝口６１１の幅より大きいのであれば、鍼柄５の幅の最大横断面が、溝口６１１を通って、挟持溝６１に入った後、溝口６１１によって保持されるようにすることができる。
【００２９】
鍼柄５が挟持溝６１によって挟持された後、溝口６１１を通じて鍼柄５を保持して位置限定を行い、これによって挟持溝６１の中に鍼柄５は固定され、脱落するようなことはない。
【００３０】
そして、鍼柄５が挟持溝６１の中に固定されることにより、鍼柄５が管体１の軸方向に沿って移動が発生しないようにするためには、挟持溝６１に何らかの構造設計、例えば下記の通り、挟持溝６１の両側の壁の対応する位置に、それぞれ縦断面が弧状の凹部６１２を形成する。両側の凹部６１２を組み合わせて、一つの挟み口を構成し、鍼柄５の幅の最大横断面が挟み口の中に固定される。このような状況の下で、針柄５の二部分をそれぞれ両側の凹部６１２の中に挿入するが、鍼柄５の前記凹部６１２に挿入した一部の外縁形状が、前記凹部６１２の形状と完全に一致することを要求している。勿論、すべての鍼柄５が円柱形を呈してもいいし、また、凹部６１２に対する弧度はそれほど精確でなくてもいいが、形状が大体一致しさえすればいいわけである。
【００３１】
その理由は、鍼管は通常一定の延性と展性を有するプラスチックから作られ、鍼柄固定部６自体の発生する一定の弾性ひずみを利用して、鍼柄５が挟持されるようにすることができる。
【００３２】
また、挟み口はできるだけ管腔２の枢軸線をそれたほうがいい。なぜなれば、鍼３を使用する時、鍼柄５を挟持溝６１の中から抜き出した後も、鍼３ができるだけ管腔２の枢軸線の所におかれるようにし、鍼３が人体のつぼに向けやすくなるからである。
【００３３】
また、前記挟持溝６１は、片側の溝壁に弧状の凹部６１２を形成することができる。そして、鍼柄５の一部をこの凹部６１２に挿入し、完全に一致する形状を利用して、鍼柄５を固定させる。
【００３４】
そして、本実施形態１の中で、挟持溝６１の最大溝幅はできるだけ鍼柄５の幅の最大横断面の幅と同じく、或いは小さいほうがいい。こうして、鍼柄５が挟持溝６１の中に挿入された後、よく挟持され、或いは構造的に強固な組合せの方式を利用して、鍼柄５を定位に保持できるようにする。
【００３５】
＜実施形態２＞
図５は本発明の鍼管付鍼の実施形態２を示す。本実施形態２では、上述の実施形態１と異なるのは、管腔２の壁に更に多くの鍼柄固定部６を有しており、又更に多くの挟持溝６１を構成していることである。図５において四つの鍼柄固定部６と、二つの挟持溝６１とが設けられているが、これに限らない。図５に示されるような鍼管付鍼の構造は鍼３を鍼管に自動的に挿入して保持させるための自動化据付の進行にもっと適合しているが、それを据え付ける時、鍼管の角度定位に対する要求は相対的に緩く、鍼柄５をいかなる挟持溝６１に押し入れても、鍼３が鍼管内に定位に保持されることができる。
【００３６】
本発明の鍼管付鍼の実施形態１、２は以上の構成からなり、鍼を鍼管に据付ける場合の鍼の鍼管の据付方法につき述べる。先ず、第１の据付方法では、鍼３を鍼管の中に挿し込み、鍼柄５と鍼管の中の鍼柄固定部６の位置が対応している時、鍼柄５を挟持溝６１の溝口６１１から挟持溝６１に向けて押し入れる。
【００３７】
この時、鍼柄５の幅の最大横断面が挟持溝６１の溝口６１１を通ると、直ちに保持される。そして、鍼３を鍼管の中に挿し入れる時、まず鍼体４、次に鍼柄５の順序によって行うことができるが、鍼体４の傷害を避けるために、まず鍼柄５、次に鍼体４の順序によって行ったほうがいい。
【００３８】
また、第２の据付方法は、鍼３を鍼管の軸の方向に沿って、鍼柄５が挟持溝６１に挟持するまで鍼管の中の挟持溝６１に挿し入れる据付方法である。この据付方法は、機械自動化操作に使用しやすく、更に工業生産に有利である。
【００３９】
そして、据付では、鍼柄５を挟持溝６１に向けて押し入れる時、鍼柄５の端の部分が鍼管の外側に置かれるようにすべきである。なぜなら、据付完了後、鍼柄５は一部が鍼管の外側にあらわれることにより、使用者が鍼柄５を操作するのに便利になるわけである。
【００４０】
そして、上述の鍼管付鍼の使用時には、力を入れて鍼柄５を挟持溝６１の中から抜き出しさえすれば、鍼３が管腔２の中で自由になった後、鍼体４が重力の作用の下で、自動的に治療が行える。
【００４１】
以上、本発明は、図示する実施形態につき代表的に説明したが、本発明の保護内容は上記実施形態１、２に限らず、本発明の属する技術領域の中で、通常の知識を有する者であれば、その技術範囲の中で、多種多様の変更を行うことができる。
【産業上の利用可能性】
【００４２】
本発明は鍼の据付が簡単であり、鍼管内での鍼の定位が確実に行え、また使用時には鍼柄を挟持溝の中からそっと押し出しさえすれば、鍼の正常的鍼灸応用を行え、操作は簡単で便利になるようにできる。
【符号の説明】
【００４３】
１      管体
２      管腔
３      鍼
４      鍼体
５      鍼柄
６      鍼柄固定部
６１    挟持溝
６１１  溝口
６１２  凹部
【図１】
2012075873.tif 000003
【図２】
2012075873.tif 000004
【図３】
2012075873.tif 000005
【図４】
2012075873.tif 000006
【図５】
2012075873.tif 000007